(57)【要約】【課題】せん定する樹木の近くに移動できるようにするとともに、せん定した枝を受けて収納し、長い枝と短い枝を簡単に整理できるようにする。【解決手段】せん定した枝の長い枝を収納する収納箱１の断面をほぼｖ字状にして傾斜する構造によって、枝の一端を揃えて収納できて収納箱に取り付けてある結束用締め付け装置によって枝を締め付け、予め収納箱の内側に設けてある結束用紐で結束し整理できるようにした。短い枝はハンドルに設けた袋ガイド籠２に袋を取り付けてその中に収納する。収納箱１と袋を取り付ける袋ガイド籠２と荷台と兼用するスタンド３で構成する手動車にした。【選択図】  図３
2004222700.tif 000002
【特許請求の範囲】
【請求項１】
せん定による長い枝と短い枝を整理するための、前方が上向き傾斜し断面がほぼｖ字状に構成された収納箱と、ハンドルに設けた袋ガイド籠で構成された手動車。
【請求項２】
収納箱に取り付けて、収納された枝を結束状態にする結束用締め付け装置。
【請求項３】
せん定作業に必要とする道具や資材などを載置できる、折たため、荷台と兼用するスタンド。
【発明の詳細な説明】
【０００１】
【発明の属する分野】
本発明は、果樹園などにおいて、せん定作業中はせん定する樹木の近くに留めて置いて、せん定による枝の整理をするための収納箱と、短い枝を収納するための袋を取り付ける袋ガイド籠、収納箱に取り付けて収納された枝を結束状態にする締め付け装置、荷台と兼用するスタンドなどにより構成された、せん定した枝を受けて簡単に整理するための手動車である。
【０００２】
【従来の技術】
従来は、せん定した枝を受けて整理する手動車はなかった。せん定による枝や、枝を誘引していた紐などは、すべて地面に落し、後に枝や紐を拾い集め、長い枝は一端を揃えて結束し、短い枝や紐は容器などに集め整理し処分する作業をしていた。
【０００３】
【発明が解決しようとする課題】
従来は、せん定作業によるせん定した枝は、すべて地面に落し、後に、これらの落とした枝を拾い集める作業をしていた、長い枝は一本ずつ一端を揃えて適当な大きさに結束し、短い枝や紐は容器などに集め整理し処分している、せん定による枝は膨大な数量であり、枝を整理する作業は重労働で多くの時間を要する難点があった。本発明は、この課題を解消するためになされたものである。
【０００４】
【課題を解決するための手段】
せん定作業をする樹木の近くに移動でき留めて置ける手動車であり、収納箱と袋ガイド籠に取り付けた袋により、長い枝と短い枝の整理をし、長い枝は収納箱に収納する、収納箱は前方上向き傾斜させて、その断面をほぼｖ字状に構成することにより、収納箱に投げ入れた長い枝は、収納箱の後方壁に滑動当接して一端が揃えられた状態で収納される、収納された枝は収納箱に取り付けられた締め付け装置の締め付け用紐と、結束用の紐を予め収納箱の内側の左右壁面に沿って置いておき、収納された枝の周りを締め付け用紐の一端と一端を取り付け、締め付け装置のシフトを操作することにより、枝を結束する状態に締め付けて、結束用の紐で結束し、締め付け用シフトを元に戻すことにより、締め付けていた紐が緩むため、締め付け用紐の一端と一端を取り外し、束を取り出す。短い枝はハンドルに設けた袋ガイド籠に袋を取り付けて収納するか、又は、下方のスタンドにコンテナを載置し、コンテナに収納し整理するようにした。
【０００５】
【発明の実施の形態】
本発明の実施の形態について説明する。
（イ）せん定による長い枝を整理するための収納箱１は、断面がほぼｖ字状に構成され、前方が上向き傾斜しているため、せん定による枝を収納箱に投げ入れると収納箱の後方壁に当接滑動し一端が揃えられた状態で収納される。収納箱の内側の左右壁面に沿って予め結束用の紐７と締め付け用の紐５を置いておき、収納した枝の周りを、締め付け用紐５の一端と一端を取り付けて、締め付け装置のシフト４を操作することにより、シフト４と連動し締め付け用紐５の一端が取り付けられているロット６が下に動き、紐５が張られて枝を結束状態にする、シフト４は溝に当てはめて留める構造なので、枝の結束状態を保ち結束紐７で結束し、シフト４を元に戻すと締め付けが緩み締め付け用紐５の一端と一端を取り外し、結束した枝を収納箱から取り出す。
（ロ）ハンドルに設けた袋ガイド籠２は、袋を取り付けて短い枝などの収納ができる。
（ハ）下方に設けた荷台と兼用するスタンド３は、せん定に必要な道具や資材、コンテナなど載置でき図４、コンテナに短い枝を収納できる、また、袋ガイド籠に取り付けられた袋の受け台でもある図５、
【０００６】
【発明の効果】
果樹園など樹木のせん定作業は、つねに場所を移動して作業をする。この発明は、せん定作業中、せん定する樹木の近くに移動できて、留めておける手動車であり、せん定した枝を受けて簡単に分別し整理できて、締め付け装置により、結束にするものである。せん定による枝の数量は膨大であり、長い枝や短い枝がある、従来、これらを整理する作業に多くの労力と時間を要していた。この作業を簡単に整理できるようにしたものである、短い枝はハンドルに設けた袋ガイド籠に袋を取り付けて袋に収納するか、又は、下方のスタンドにコンテナを載置し、コンテナに収納する、収納された枝は袋やコンテナごと交換できて便利である。
せん定した長い枝は収納箱に投げ入れて収納し、収納箱は断面がほぼｖ字状に構成され、前方が上向き傾斜しているため、収納箱に投げ入れた枝は収納箱の後方壁に滑動当接して一端が揃えられた状態で収納され、収納箱の左右壁面に予め結束状態にするための、締め付け装置の締め付け用紐と結束用紐を内側の壁面に沿って置いておき、収納箱に収納された枝を、一方の端フックであり、一方の端が輪なっている締め付け用紐を枝の周りで取り付ける、締め付け用紐は、締め付けシフトと連動するロットに連結してあるため、締め付けシフトを操作することによりロットが下方に動き、締め付け用紐が強く張られて枝を締め付け、結束状態にできる、枝を結束用紐で結束し、締め付けシフトを元に戻すことにより締め付けが緩み、締め付け用紐の一端と一端を取り外し、結束した枝を取り出せる。従来の、せん定作業によるせん定した枝を拾い集める作業は、多くの労力と時間を要していたが、この発明により、この問題を解決することができる。
【図面の簡単な説明】
【図１】本発明の平面図である。
【図２】本発明の正面図である。
【図３】本発明の右側面図である。
【図４】本発明のコンテナ装着斜視図である。
【図５】使用状態斜視図である。
【図６】締め付け用紐装着斜視図である。
【符号の説明】
１  収納箱
２  袋ガイド籠
３  荷台と兼用のスタンド
４  締め付け用シフト
５  締め付け用紐
６  ロット
７  結束用紐
【図１】
2004222700.tif 000003
【図２】
2004222700.tif 000004
【図３】
2004222700.tif 000005
【図４】
2004222700.tif 000006
【図５】
2004222700.tif 000007
【図６】
2004222700.tif 000008
【手続補正書】
【提出日】平成15年2月14日(2003.2.14)
【手続補正１】
【補正対象書類名】明細書
【補正対象項目名】０００５
【補正方法】変更
【補正の内容】
【０００５】
【発明の実施の形態】本発明の実施の形態について説明する。
（イ）せん定による長い枝を収納するための収納箱１は、断面がほぼｖ字状に構成され、前方が上向き傾斜しているため、せん定した枝を収納箱に投げ入れると収納箱の後方壁に当接滑動し一端が揃えられた状態で収納される、収納箱の後方壁には穴があけてあり、その穴に締め付け用紐５二本を通し、後方壁の外側に位置しているロット６の一端に締め付け用紐を固定している、ロットは締め付け用紐を固定している反対側の端を支点にして上下するようにできており、ロットの支点になる部分はシャフトにより締め付け用シフト４と連動するようにできている。収納箱の両側の壁面に沿って予め締め付け用紐と結束用紐７を置いておき、収納箱に収納された枝を結束するために締め付け用紐二本のうち一本の先端がフックであり、一本の先端が輪になっている締め付け用紐を、束ねる枝の両側からフックと輪を取り付け、締め付け用シフトを締め付け側に操作することにより、締め付け用シフトと連動しているロットの先端が動きロットに固定された締め付け用紐の二本が後方壁の穴により一点に集中し絞り込まれて引っ張られ、枝が締め付けられ結束状態になる、この状態を保ために締め付け用シフトは溝に当てはめて止めておける構造であるため、収納箱の枝を締めた状態で止めておき、結束用紐で結束する、結束の後に締め付け用シフトを締め付け側と反対方向の緩める側に操作することによりロット６の先端が上に動き、枝の周りを締め付けていた締め付け用紐５が緩み、締め付け用紐の先端のフックと輪を取り外し、結束した枝を取り出す。
（ロ）ハンドルに設けた袋ガイド籠２は、袋を取り付けて短い枝などを収納するためのものである。
（ハ）下方に設けた荷台と兼用するスタンド３は、せん定に必要な道具や資材、コンテナなど載置でき図４、また、袋ガイド籠に取り付けられた袋の受け台でもある図５。


【手続補正２】
【補正対象書類名】明細書
【補正対象項目名】０００６
【補正方法】変更
【補正の内容】
【０００６】
【発明の効果】果樹園などの樹木をせん定する作業は、常に場所を移動して作業をする。この発明は、せん定作業中、せん定する樹木の近くに移動できて、留めて置ける手動車であり、せん定した枝を受け長い枝と短い枝を簡単に分別、整理できて、長い枝は締め付け装置により結束状態にできるものである。せん定による枝は長い枝や短い枝があり、これらの枝はすべて地面に落とし、後に、これらの枝を拾い集める作業をしている、せん定による枝の数量は膨大であり、枝を整理する作業に多くの労力と時間を要していた。従来のせん定した枝を拾い集める作業をせずに長い枝と短い枝を簡単に整理できるようにしたものである、短い枝はハンドルに設けた袋ガイド籠に袋を取り付けて収納するか、又は、下方の荷台と兼用するスタンドにコンテナなどを載置して、コンテナなどに収納する、収納された枝は袋かコンテナごと交換する。せん定した長い枝は収納箱に投げ入れて収納でき、収納箱は断面がほぼｖ字状に構成され、前方が上向き傾斜しているため、収納箱に投げ入れた枝は収納箱の後方壁に滑動当接して一端が揃えられた状態で収納される、収納箱の内側には予め結束状態にするための締め付け装置の締め付け用紐と結束するための紐を左右壁面に沿って置いておき、収納箱に収納された枝を結束するために、締め付け用紐の一方の端がフックであり、一方の端が輪になっている紐を枝の周りで取り付ける、締め付け用紐は収納箱の後方壁にあいている穴を通して後方壁の外側に位置しているロットの先端に固定されている、ロットは締め付け用紐を固定している反対の端を支点にし上下に動き、支点になる部分にはシャフトにより締め付け用シフトと連動する、締め付け用シフトを締め付け側に操作するとロットが下方に動き、締め付け用紐が強く引っ張られて枝を締め付け結束状態にして結束用紐で結束する、締め付け用シフトを元に戻すことにより枝の締め付けが緩み、締め付け用紐の一端と一端を取り外し結束した枝を取り出す。従来の、せん定作業によるせん定した枝を拾い集める作業には、多くの労力と時間を要していたが、この発明により、この問題を解決することができる。